(57)【要約】【課題】プリン、ヨーグルトなどを収めた使い捨て密閉容器を開口するには、密閉容器上面に接着するトップシールを剥がす必要がある。この剥がす作業は、トップシール外周から僅かに突出する舌片部を指先で摘まみ剥がしていた。しかし、密閉容器に接着したトップシールの剥離は、手指力が弱い老人、子供、女性には難しい作業であった。一方、力をこめてトップシール舌片の剥離作業中に手指がトップシール舌片から外れ密閉容器の角に当たり傷をするなどの問題点があった。【解決手段】そこで、本発明のトップシール剥離具は、トップシール舌片を凹凸形状の挟持部でつかみ、その挟持部に隣接する延出部の最先端を支点にテコの働きによってトップシールを剥がすものである。【選択図】      図４
2004149161.tif 000002
【特許請求の範囲】
【請求項１】
密封容器の上面開口を封止すると共に密封容器の上面開口よりも外方へ突出した舌片部を有するトップシールを剥離するトップシール剥離具であって、トップシールの舌片部の上面にあてがわれる上部部材と、トップシールの舌片部の下面にあてがわれる下部部材とが、ヒンジ部を介して上下揺動可能に連結され、上部部材の下面に第１係合部が形成され、下部部材の上面における前記第１係合部との対面位置には前記第１係合部との間でトップシールの舌片部を挟持可能な第２係合部が形成されると共に、上部部材における第１係合部から揺動先端までを前記第１係合部と第２係合部によりトップシールの舌片部が挟持されたときに前記揺動先端がトップシールの上面開口の縁上に届く延出部としたことを特徴とするトップシール剥離具。
【請求項２】
前記第１係合部の側断面形状が凸状または凹状に形成され、第２係合部の側断面形状が第１係合部と嵌合する凹状または凸状に形成されていることを特徴とする請求項１記載のトップシール剥離具。
【請求項３】
前記第１係合部の側断面形状がノコギリ刃状に形成され、第２係合部の側断面形状が第１係合部と嵌合するノコギリ刃状に形成されていることを特徴とする請求項１記載のトップシール用剥離具。
【請求項４】
前記上部部材、下部部材、またはヒンジ部にトップシール押圧破断用の突起を形成したことを特徴とする請求項１乃至請求項３のいずれかに記載のトップシール剥離具。
【請求項５】
少なくとも、前記上部部材の揺動先端から第１係合部におよぶ延出部が透視可能な合成樹脂製材料からなることを特徴とする請求項１乃至請求項４のいずれかに記載のトップシール剥離具。
【発明の詳細な説明】
【０００１】
【発明の属する技術分野】
本発明は、例えばプリン、ヨーグルトその他の商品を収めた使い捨ての密封容器の上面を封止しているトップシールの剥離具に関する。
【０００２】
【従来の技術】
従来、トップシールの剥離は、片手で容器本体を把持しながら、もう一方の手指で非接着部分であるトップシール舌片を手指力で挟持し剥ぎ取っていた。
しかし、手指による容器に固く接着したトップシールの剥離作業は、舌片から手指が滑り外れたり剥がし辛いためペンチ又はラジオペンチなどの道具で挟み剥がしていた。
また、時には、上記道具を使用しても剥がすことができず剥離を断念し包丁、ナイフなど鋭利な刃先でトップシールを押圧破断し、密封容器を開口していた。
【０００３】
【発明が解決しようとする課題】
しかし、ペンチまたはラジオペンチの道具は使い慣れた者でなければ使い辛く、かといって、道具を使わない剥離作業は、容器に固く接着しているトップシールの剥離に大きな手指力を必要とし、大きな手指力を持たない特に老人、子供、女性には非常に困難な剥離作業であった。また、時には力を込めるあまりトップシール舌片から手指が外れ、そのはずみで容器の角に手指が当り傷をするなどの問題点があった。
本発明は、このような問題点を解決しようとするもので、大きな手指力を必要とせず、且つ、安全に老人、子供、女性でもトップシールの剥離ができるトップシール剥離具を提供することを目的とする。
【０００４】
【課題を解決するための手段】
上記目的を達成するため、本発明のトップシール剥離具は、密封容器の上面開口を封止すると共に密封容器の上面開口よりも外方へ突出した舌片部を有するトップシールを剥離するトップシール剥離具であって、トップシールの舌片部の上面にあてがわれる上部部材と、トップシールの舌片部の下面にあてがわれる下部部材とが、ヒンジ部を介して上下揺動可能に連結され、上部部材の下面に第１係合部が形成され、下部部材の上面における前記第１係合部との対面位置には前記第１係合部との間でトップシールの舌片部を挟持可能な第２係合部が形成されると共に、上部部材における第１係合部から揺動先端までを前記第１係合部と第２係合部によりトップシールの舌片部が挟持されたときに前記揺動先端がトップシールの上面開口の縁上に届く延出部としたことを特徴とするトップシール剥離具である。
【０００５】
また、挟持部でのトップシール舌片の滑動抵抗を大きくするために第１係合部の側断面形状が凸状または凹状に形成され、第２係合部の側断面形状が第１係合部と嵌合する凹状または凸状に形成、あるいは、第１係合部の側断面形状がノコギリ刃状に形成され、第２係合部の側断面形状が第１係合部と嵌合するノコギリ刃状に形成としている。
【０００６】
更に、上部部材、下部部材、またはヒンジ部にトップシール押圧破断用の突起を形成し、一方、第１係合部および第２係合部の凹凸間にトップシール舌片をセッチィングし易くために少なくとも、上部部材の揺動先端から第１係合部におよぶ延出部が透視可能な合成樹脂製材料から形成している。
【０００７】
【発明の実施の形態】
以下、本発明の実施の形態を図面に基づいて詳しく説明する。
図１は本発明のトップシール剥離具Ａの実施の形態を示す斜視図、図２は図１のＸ―Ｘ線拡大断面図、図３・図４・図５は作用を説明する図である。図２に示す本発明のトップシール剥離具Ａは、ヒンジ部４を介して上部部材１ａと下部部材１ｂからなり、ヒンジ部を支点に上部部材と下部部材それぞれが揺動可能である。前記上部部材１ａの先端近傍には、第１係合部２を形成し、この第１係合部２と揺動先端５間に延出部Ｌを設けている。一方、前記下部部材１ｂの先端縁には、前記第１係合部２に対面する第２係合部３を形成している。
この第２係合部３の凹部溝は、階段状に形成し第１係合部の凸部と対をなしている。図３に示す前記第１係合部２と第２係合部３の凹凸の隙間にトップシール舌片を挟持し前記揺動先端５が支点となり回動させて剥がすものである。
【０００８】
図３に示すトップシール舌片Ｓ１の挟持は、手指力の付勢により揺動可能な上部部材１ａと下部部材１ｂがヒンジ部を支点に揺動させることにより第１係合部２と第２係合部３の凹凸が嵌合する。逆に付勢を解除すれば材質の復元力によって嵌合が復帰される。
前記第１係合部と第２係合部の凹凸形状は、単に凹凸を形成していてもよいが、トップシールの非接着部である舌片Ｓ１を確実に捕らえるために、図１０に示す鋭角を多数有する側断面がノコギリ刃状の形状としてもよい。また更に、前記第１係合部と第２係合部の凹凸の噛み合い部分には、滑動抵抗が大きい例えば軟質合成樹脂などを用いればなおさらよい。
【０００９】
次に、図３・図４・図５を基に作用の説明をする。まず片方の手で容器７を把持し、他方の手指で本発明のトップシール剥離具Ａの第１係合部２は、トップシール舌片の上面にあてがわれ、第２係合部３は、トップシール舌片の下面にあてがわれる。挿入にあたっては、下部部材１ｂの先端が密封容器縁７ａに当接するまで挿入させる。続いて、トップシール舌片Ｓ１と本発明のトップシール剥離具Ａが合体するように手指力で強く把持する。
続いて、前記トップシール舌片Ｓ１とトップシール剥離具Ａの合体を保持しながらトップシール剥離具Ａを反時計回りに回動させれば揺動先端５の最先端が密閉容器縁を支えにテコの支点となりトップシールＳの縁部が剥がされる（図４参照）。
この縁部の剥離には、トップシールＳが密閉容器縁に面状接着し最も力を必要とする部分の剥離で、本発明の要部の一つである揺動先端５から第１係合部にいたる延出部Ｌがテコの働きをして実現するものである。残る線状に接着したトップシールは、さらに同方向に引寄せれば全てを剥離することができる。
【００１０】
次に、本発明のトップシール剥離具Ａ１について説明する。
図６は、トップシール剥離具Ａ１の斜視図、図７は図６のＹ−Ｙ線拡大断面図、図８は図６のＺ−Ｚ線拡大断面図、図９は使用状態を示す斜視図である。
図７に示すトップシール剥離具Ａ１の第１係合部１２と第２係合部１３は、上部部材１１ａと下部部材１１ｂの前面近傍に対面する位置にそれぞれ形成し、前記第１係合部１２から外方向の揺動前面端に延出部Ｌ１を設けている。
前記第１係合部１２の凸部と第２係合部１３の凹部間にトップシール舌片を挟持した際、ヒンジ部１４が支点となりトップシール舌片の挟持にテコの力が加わりより強固にトップシール舌片が挟持されるよう構成している。
トップシール剥離具Ａ１の使用においてトップシールの縁部は、トップシール剥離具Ａ１を持つ手首をひねるだけで容易に剥がすことができる。
トップシール剥離具Ａ１は、トップシール舌片の挟持と、トップシール縁の剥離にテコの力が働くため、より老人、子供、女性の力の負担が軽減される。
【００１１】
上述した各実施形態では、上部部材と下部部材とヒンジ部を一体に構成した例を示したが、本発明の剥離は上部部材と下部部材を別個独立に形成し、それらの端部を蝶番などのヒンジ部で揺動自由に連結してもよい。
なお、第１係合部を突起状に、第２係合部を陥没状に形成したが、それらを逆に、すなわち第１係合部を陥没状に、第２係合部を突起状に形成してもよい。
また、第１係合部または第２係合部の形状は凹凸状、ノコギリ刃状に限らずトップシールの舌片を確実に挟持できる形状であればよい。
本発明のトップシール剥離具の製作にあたっては、合成樹脂材を使い射出成形機により一体成形してもよく。また、金属板を用いてプレスにより成形した後に凹凸面に滑り止め加工を行ってもよい。
一方、トップシール舌片が挟持部の隙間にセッティングし易くするため少なくとも延出部Ｌ、Ｌ１を透視可能な合成樹脂材を用いたり、あるいは貫通孔を穿孔しておいてもよい（図示しない）。
【００１２】
【発明の効果】
本発明のトップシール用剥離具は、第１係合部と第２係合部の角を多く有する凹凸により、または、ヒンジ部を利用したテコの働きなどにより、トップシール舌片を逃がすことなく確実に捕えることができる。一方、トップシールは、密閉容器縁を支えに揺動先端がテコの支点として働き大きな剥離力が生まれ、その剥離力により大きな手指力を持たない特に老人、子供、女性でも容易に、かつ安全にトップシールを剥がすことができる。
また、高周波、加熱溶着などにより溶着され剥離が不可能なトップシールは、従来のように包丁、カッタナイフなど危険な道具を使用しなくとも本発明のトップシール剥離具に設けた押圧破断用の突起によって密閉容器の開口が可能となる。
【図面の簡単な説明】
【図１】本発明のトップシール剥離具Ａの斜視図である。
【図２】図１のＸ―Ｘ線拡大断面図である。
【図３】トップシール剥離具Ａの凹凸部にトップシール舌片を挟持した状態を示す説明図である。
【図４】揺動先端が支点となり容器の縁が剥がれる状態を示す説明図である。
【図５】トップシール全体が剥がれる状態を示す説明図である。
【図６】本発明のトップシール剥離具Ａ１の斜視図である。
【図７】図６のＹ―Ｙ線拡大断面図である。
【図８】図６のＺ―Ｚ線拡大断面図である。
【図９】本発明のトップシール剥離具Ａ１の使用状態を示す説明図である。
【図１０】第１係合部、第２係合部のノコギリ刃状凹凸を示す要部断面図である。
【符号の説明】
１ａ、１１ａ・・・上部部材
１ｂ、１１ｂ・・・下部部材
２、１２・・・・・第１係合部
３、１３・・・・・第２係合部
４、１４・・・・・ヒンジ部
５、１５・・・・・揺動先端
６・・・・・・・・突起
Ａ・・・・・・・・ヒンジ部の位置に対し、延出部が対向する位置にある本発明のトップシール剥離具
Ａ１・・・・・・・ヒンジ部の位置に対し、延出部が略９０度の方向に設けている本発明のトップシール剥離具
Ｓ・・・・・・・・トップシール
Ｓ１・・・・・・・トップシール舌片
Ｌ、Ｌ１・・・・・延出部
【図１】
2004149161.tif 000003
【図２】
2004149161.tif 000004
【図３】
2004149161.tif 000005
【図４】
2004149161.tif 000006
【図５】
2004149161.tif 000007
【図６】
2004149161.tif 000008
【図７】
2004149161.tif 000009
【図８】
2004149161.tif 000010
【図９】
2004149161.tif 000011
【図１０】
2004149161.tif 000012